(57)【特許請求の範囲】
【請求項１】
液体燃料を気化する気化器と、
前記気化器の温度を検知する気化器温度検知手段と、
前記検知された気化器の温度に基づいて温風暖房能力を制御する制御手段とを含む、温風暖房装置。
【請求項２】
室温を設定する室温設定手段と、
室温を検知する室温検知手段とをさらに備え、
前記制御手段は、前記検知された気化器の温度と前記設定された室温と前記検知された室温とに基づいて温風暖房能力を制御する、請求項１に記載の温風暖房装置。
【請求項３】
前記制御手段は、運転開始時の温風暖房能力を決定する決定手段を含む、請求項１または２に記載の温風暖房装置。
【請求項４】
前記決定手段は、前記検知された気化器の温度が所定値Ａ未満である場合、暖房運転開始時の温風暖房能力を通常運転時の能力よりも高く設定する、請求項３に記載の温風暖房装置。
【請求項５】
前記決定手段は、前記検知された気化器の温度が所定値Ａ以上である場合、暖房運転開始時の温風暖房能力を通常運転時の能力と等しく設定する、請求項３または４に記載の温風暖房装置。
【請求項６】
前記決定手段は、第１の設定手段と第２の設定手段とを含み、
前記第１の設定手段は、前記検出された気化器の温度が所定値Ｂ未満である場合において、前記設定された室温と前記検出された室温との差が所定値Ｃ以上であるときに、前記差に応じて暖房運転開始時の温風暖房能力を通常運転時の能力よりも高く設定し、
前記第２の設定手段は、前記検出された気化器の温度が所定値Ｂ未満である場合において、前記設定された室温と前記検出された室温との差が所定値Ｃ未満であるときに、暖房運転開始時の温風暖房能力を通常運転時の能力と等しく設定する、請求項３に記載の温風暖房装置。
【請求項７】
前記決定手段は、さらに第３の設定手段を含み、
前記第３の設定手段は、前記検出された気化器の温度が所定値Ｂ以上である場合において、前記第１の設定手段による設定よりも低く暖房運転開始時の温風暖房能力を設定する、請求項６に記載の温風暖房装置。
【請求項８】
前記制御手段は、前記検知された気化器の温度に基づいて、前記設定された室温を設定変更する変更手段と、
前記変更手段による設定変更を解除する解除手段とを含む、請求項２〜７のいずれかに記載の温風暖房装置。
【請求項９】
前記変更手段は、前記検出された気化器の温度が所定値Ｄ未満である場合、前記設定された室温を一定値だけ高く設定変更する第１の変更手段を含む、請求項８に記載の温風暖房装置。
【請求項１０】
前記変更手段は、前記検出された気化器の温度が所定値Ｄ以上である場合、前記設定された室温を一定値だけ低く設定変更する第２の変更手段を含む、請求項８または９に記載の温風暖房装置。
【請求項１１】
前記解除手段は、前記検知された室温が前記変更手段により変更された設定値以上になると、前記変更手段による設定変更を解除する、請求項８〜１０のいずれかに記載の温風暖房装置。
【請求項１２】
前記解除手段は、暖房運転開始から一定時間を経過すると、前記変更手段による設定変更を解除する、請求項８〜１１のいずれかに記載の温風暖房装置。
【発明の詳細な説明】
【０００１】
【発明の属する技術分野】
本発明は、温風暖房装置に関し、特に、運転開始時の温風暖房能力を通常運転時の能力よりも高く制御することにより室内の温度を素早く上昇させるホットダッシュ機能を有する温風暖房装置に関する。
【０００２】
【従来の技術】
まず、温風暖房装置の暖房原理について、石油ファンヒータを例にとって概説する。図１３および図１４は、従来技術における石油ファンヒータの構成を示す概略図である。図１３は正面の断面図を、図１４は側面の断面図をそれぞれ表わしている。図１３および図１４を参照して、従来技術における石油ファンヒータは、燃料タンク１３０１と、燃料圧送用電磁ポンプ１３０３と、送油パイプ１３０５と、気化器１３０７と、バーナ１３１１と、燃焼室１３０９とを含んでいる。
【０００３】
まず、燃料タンク１３０１内の燃料は燃料圧送用電磁ポンプ１３０３によって送油パイプ１３０５を通って気化器１３０７に送られる。気化器１３０７は、図示しない気化器ヒータによって加熱され、送られてきた燃料を気化させる。燃料は、気化器１３０７によりガス状にされた後、バーナ１３１１により燃焼させられる。この燃焼によって、燃焼室１３０９内の温度が上昇する。
【０００４】
石油ファンヒータは、さらに、燃焼室１３０９の背面側に設けられた送風ファン１３１３と、送風ファン１３１３を駆動させるための送風用モータ１３１５とを含んでいる。燃焼室１３０９内での燃焼が開始されると送風用モータ１３１５に通電され、燃焼室１３０９内で暖められたガスは、送風ファン１３１３により、常温の空気と混合されながら温風として装置外に送風される。この排出される温風により室内の空気が暖められる。
【０００５】
このような石油ファンヒータ等の温風暖房装置では、暖房運転を開始した時から一刻も早く快適な室内温度を得るために、運転開始時には通常運転時の温風暖房能力よりも大きい能力でもって暖房運転を行なうという、いわゆるホットダッシュ機能が付加されていることが多い。
【０００６】
ホットダッシュ機能には、例えば、実開公昭６２−２２４６５や実開公平２−６２２５２などに示されるように、より最適な暖房運転を開始できるように、運転開始前の室内温度を考慮して運転開始時の温風暖房能力を決定するというものがある。すなわち、室内の温度を測定し、運転開始からしばらくの間、その測定値に基づいて通常運転時の燃焼能力よりも大きい燃焼量で燃焼を行なうというものである。
【０００７】
また、特開昭５８−１０２０４７や特開平２−１４８３１８などに示されるように、室内温度のみならず、体感温度をも考慮して、運転開始時の暖房能力を設定するという技術も見られる。これは、室内温度と体感温度との差異を考慮し、測定された室内温度に基づいて、体感温度を予測し、ユーザが設定した温度設定値を一定条件下に変更させるというものである。
【０００８】
【発明が解決しようとする課題】
しかしながら、これらの従来技術では、いずれも室内温度のみに基づいて初期暖房能力を制御している。そして、この基となる室内温度は多くの場合装置付近の所定の雰囲気温度を測定したものである。したがって、例えば、冷たい壁、窓、天井等の近くでこれらからの輻射の影響を大きく受ける部分の温度というものは考慮されていないことになる。
【０００９】
一般に、装置付近の雰囲気温度で代表される室内温度と、壁、窓、天井等の近くでこれらからの輻射の影響を大きく受ける部分の温度とは必ずしも一致しない。測定された室内温度が同じでも、例えば、前に暖房装置で一度室内を暖めていた場合は、壁、窓、天井等の温度も上昇しており、付近の温度も室内温度と同程度に上昇していると考えられるが、初めて暖房した場合は、壁、窓、天井等の温度は低い状態であるため、これらからの輻射により、付近の温度は測定された室内温度よりも低くなると考えられる。
【００１０】
しかし、測定された室内温度のみからは、これらの、壁、窓、天井等による輻射の影響を考慮することができない。したがって、室内温度のみに基づいて制御する従来技術では、測定された温度が同じであれば、上記両ケースとも同じ暖房能力でもってホットダッシュ燃焼を行なうことになる。
【００１１】
このため、少し前まで暖房されていたような場合には、高い暖房能力でもって運転が開始されると、必要以上に温度上昇の立ち上がりを生じることになり、すぐに希望する室温以上となってしまう。このことを考慮して、運転開始時の暖房能力を少し低下させてホットダッシュを行うと、初めて暖房がされたような場合には、暖房能力が不十分であり、満足のいく室温になるためには、多くの時間を要することになる。
【００１２】
つまり、同じ暖房能力では、一方のケースに対しては暖房能力が過剰、あるいは、不足となることが当然予測され、快適な室温を実現することが困難になるということである。さらに、燃焼の過不足はエネルギー消費面においても不適切かつ不経済であると言える。
【００１３】
また、仮に、測定された室内温度が適当なものであったとしても、従来技術では、運転開始時の暖房能力を決定する際に、ユーザが希望する室温に対する考慮が全くされていない。
【００１４】
本発明はかかる実状に鑑みて考え出されたものであり、その第１の目的は、暖房装置の使用状況を考慮することにより、運転初期において適切な暖房能力の制御を行ない、暖房効果を速やかに発揮できる温風暖房装置を提供することである。
【００１５】
また、第２の目的は、運転開始時において、ユーザの意思を考慮したより細やかで適切な暖房能力の制御を可能とすることである。
【００１６】
【課題を解決するための手段】
上記目的を達成するため、本発明のある局面に従うと、温風暖房装置は、液体燃料を気化する気化器と、前記気化器の温度を検知する気化器温度検知部と、前記検知された気化器の温度に基づいて、温風暖房能力を制御する制御部とを含む。
【００１７】
この発明に従うと、気化器の温度を検知することにより、暖房装置の使用状況、ひいては、室内全体の真の温度状況をある程度把握することが可能となる。したがって、運転初期において、より適切な暖房能力の制御を行なうことができ、暖房効果を速やかに発揮できる温風暖房装置を提供することが可能となる。
【００１８】
好ましくは、温風暖房装置は、室温を設定する室温設定部と、室温を検知する室温検知部とをさらに備え、制御部は、検知された気化器の温度と設定された室温と検知された室温とに基づいて温風暖房能力を制御する。
【００１９】
これによると、装置の使用状況を考慮すると共に、設定された室温と検知された室温との関係も考慮するため、運転開始時において、ユーザの意思を反映したより細やかで適切な暖房能力の制御が可能となる。
【００２０】
また、制御部は、運転開始時の温風暖房能力を決定する決定部を含むことが好ましい。これにより、より適切な暖房運転の立ち上がりを実現することが可能となる。
【００２１】
また、好ましくは、決定部は、検知された気化器の温度が所定値Ａ未満である場合、暖房運転開始時の温風暖房能力を通常運転時の能力よりも高く設定する。これにより、以前に装置が使用されてから時間が経っている場合でも、暖房効果を速やかに得ることができる。
【００２２】
さらに、好ましくは、決定部は、検知された気化器の温度が前記所定値Ａ以上である場合、暖房運転開始時の温風暖房能力を通常運転時の能力と等しく設定する。これにより、以前に装置が使用されてから間がない場合には、無駄なエネルギーの消費を抑えることができる。
【００２３】
また、好ましくは、決定部は、第１の設定部と第２の設定部とを含み、第１の設定部は、検出された気化器の温度が所定値Ｂ未満である場合において、設定された室温と検出された室温との差が所定値Ｃ以上であるときに、その差に応じて暖房運転開始時の温風暖房能力を通常運転時の能力よりも高く設定し、第２の設定部は、検出された気化器の温度が所定値Ｂ未満である場合において、設定された室温と検出された室温との差が所定値Ｃ未満であるときに、暖房運転開始時の温風暖房能力を通常運転時の能力と等しく設定する。
【００２４】
これにより、以前に装置が使用されてから時間が経っている場合でも、ユーザの意思を考慮した適切な暖房能力の制御が可能となるため、暖房効果を速やかに得ることができる。
【００２５】
さらに、好ましくは、制御部は、さらに第３の設定部を含み、第３の設定部は、検出された気化器の温度が所定値Ｂ以上である場合において、第１の設定部による設定よりも低く暖房運転開始時の温風暖房能力を設定する。
【００２６】
これにより、以前に装置が使用されてから間がない場合にも、ユーザの意思を考慮した適切な暖房能力の制御が可能となるため、無駄なエネルギーの消費を抑えることができる。
【００２７】
また、好ましくは、制御部は、検知された気化器の温度に基づいて、設定された室温を設定変更する変更部と、変更部による設定変更を解除する解除部とを含む。
【００２８】
暖房装置の使用状況に応じて、温度設定値が変更されるとともに、必要に応じてその変更が解除されるため、適切な暖房能力の制御が行なえ、暖房効果を速やかに発揮することができる。
【００２９】
また、好ましくは、変更部は、検出された気化器の温度が所定値Ｄ未満である場合、設定された室温を一定値だけ高く設定変更する第１の変更部を含む。
【００３０】
以前に装置が使用されてから時間が経っている場合には、設定された室温を高く変更することにより、一層適切な暖房能力の制御が可能となり、暖房効果を速やかに得ることができる。
【００３１】
また、好ましくは、変更部は、検出された気化器の温度が所定値Ｄ以上である場合、設定された室温を一定値だけ低く設定変更する第２の変更部を含む。
【００３２】
以前に装置が使用されてから間がない場合には、設定された室温を低く変更することにより、一層適切な暖房能力の制御が可能となり、無駄なエネルギーの消費を抑えることができる。
【００３３】
さらに、好ましくは、解除部は、検知された室温が変更部により変更された設定値以上になると、変更部による設定変更を解除する。
【００３４】
これによると、室内を早急に室温設定値に近づける必要のある運転初期を過ぎれば、通常運転時の暖房能力に戻るため、ユーザが当初設定した室温を保つことが可能になる。
【００３５】
また、好ましくは、解除部は、暖房運転開始から一定時間を経過すると、変更部による設定変更を解除する。
【００３６】
熱容量の大きな空間においては、一定時間が経過するとほぼ室温が一定になるため、その時点で通常運転時の暖房能力に戻すことにより、ユーザが当初設定した室温を保つことが可能になる。
【００４３】
【発明の実施の形態】
次に、本発明の実施の形態を、図面に基づいて説明する。
［第１の実施の形態］
図１および図２は、本発明の実施の形態の一つである石油ファンヒータ１の基本構成を示す概略図である。図１は正面の断面図を、図２は側面の断面図をそれぞれ表わしている。
【００４４】
図１および図２を参照して、石油ファンヒータ１は、ユーザが希望する室内温度を設定入力する室内温度設定部１２１と、室内温度を検知する室温サーミスタ１１９と、燃料を溜めるための燃料タンク１０１と、燃料タンク内の燃料をポンプアップする燃料圧送用電磁ポンプ１０３と、送油パイプ１０５と、燃料を気化するための気化器１０７と、気化器１０７の温度を検知するための気化器サーミスタ１１７と、気化された燃料を燃焼させるためのバーナ１１１と、燃焼室１０９と、燃焼室１０９の背面側に設けられた送風ファン１１３と、送風ファン１１３を駆動させるための送風用モータ１１５とを含んでいる。
【００４５】
石油ファンヒータ１の暖房原理は、従来技術と同様であるので、ここでは詳細な説明を省略する。なお、石油ファンヒータ１の温風暖房能力は、燃料圧送式電磁ポンプ１０３による送油量で決定される燃焼量と、送風ファン１１３の回転数により決定される温風の送風量とで調整される。
【００４６】
図３は、石油ファンヒータ１の機能ブロック図を示している。本図に示すように、石油ファンヒータ１は、機能的に大別すると、気化器温度検知部としての気化器サーミスタ１１７と、温風暖房能力を決定する要因となる燃料圧送式電磁ポンプ１０３および送風ファン１１３と、これらを駆動させる回路３０５および３０７と、気化器サーミスタ１１７からの気化器温度情報に基づいて駆動回路３０５および３０７を制御するマイクロコンピュータ３００とで構成される。
【００４７】
そして、マイクロコンピュータ３００は、気化器温度と予め設定されている所定値とを比較判定する気化器温度判定部３０１と、気化器温度判定部３０１からの判定結果を受けて、駆動回路３０５および３０７に制御信号を発する制御部３０３とで構成されている。
【００４８】
次に、石油ファンヒータ１におけるホットダッシュ制御が行われる手順について説明する。図４は、マイクロコンピュータ３００により、運転開始時に石油ファンヒータ１の温風暖房能力が制御される流れを示したフローチャートである。図４を参照して、石油ファンヒータ１は、運転スイッチがＯＮされると、まず、ステップＳ４０１において、気化器サーミスタ１１７による気化器１０７の温度が検知される。
【００４９】
次に、ステップＳ４０３において、気化器１０７の温度（ＫＴ）が予め設定していた設定温度（ＳＫＴ）以上か否かが判断される（ＫＴ≧ＳＫＴ？）。つまり、ここで、暖房装置の使用状況が判断されることになる。
【００５０】
気化器１０７の温度が設定温度未満の場合は、ステップＳ４０７において、燃料の燃焼量を通常の１２０％、送風ファン１１３を通常通りとすることにより、温風暖房能力を通常時よりも高い能力に設定する。
【００５１】
つまり、この場合は温風暖房装置１を以前に使用していないか、あるいは使用していたとしても、使用を終了してからある程度の時間が経過していると考えられるため、室内の壁、窓等の輻射の影響により周囲の温度は低い状態にあると予想できる。したがって、運転開始時には、より早い暖房効果を得るために通常運転よりもかなり高めの暖房運転を行うようにしている。
【００５２】
一方、気化器１０７の温度が設定温度以上の場合は、ステップＳ４０５において、燃料の燃焼量を通常の１１０％、送風ファン１１３を通常通りとすることにより、ステップＳ４０７の処理における設定よりは低く温風暖房能力を設定する。
【００５３】
この場合は、以前に温風暖房装置１を使用し終わってから間がなく、室内の壁、窓等の温度もある程度上昇したままであると考えられる。したがって、暖房運転開始時においてもある程度暖房能力を抑えることにより、エネルギー消費の無駄を防止する必要があるからである。
【００５４】
なお、運転開始時にステップＳ４０７またはステップＳ４０５において設定された温風暖房能力でもって運転が開始された後は、室温サーミスタ１１９により検知された室温（ＲＴ）が、室温設定部１２１の設定温度（ＳＲＴ）に達すると、運転初期のホットダッシュモードが解除され、通常時の運転モードに変更される。
【００５５】
このように、石油ファンヒータ１では、気化器１０７の温度を検知することにより、室内の温度状況をある程度予測した上で温風暖房能力を制御することができる。したがって、運転開始時において、快適な室温を実現するためのより適切な制御が可能となる。
【００５６】
［第２の実施の形態］
次に、本発明の第２の実施の形態における石油ファンヒータ２について説明する。石油ファンヒータ２の基本構成は、図１および図２に示す第１の実施の形態である石油ファンヒータ１の構成と同様である。
【００５７】
図５は、石油ファンヒータ２の機能ブロック図を示している。本図に示すように、石油ファンヒータ２のマイクロコンピュータ５００は、室温検知部としての室温サーミスタ１１９と、室温設定部１２１と、燃料圧送式電磁ポンプ１０３の駆動回路３０５と、送風ファン１１３の駆動回路３０７とに接続されている。
【００５８】
ここで、マイクロコンピュータ５００は、室温サーミスタ１１９による室温検知結果と室温設定部１２１による室温設定値とを比較判断する室温判定部５０１と、室温判定部５０１の結果を受けて駆動回路３０５、３０７に制御信号を送信する制御部５０３とを含んでいる。
【００５９】
つまり、マイクロコンピュータ５００は、室温サーミスタ１１９と室温設定部１２１とからの情報に基づいて、温風暖房能力を決定する要因となる燃料圧送式電磁ポンプ１０３および送風ファン１１３を制御する。
【００６０】
次に、図６において、このマイクロコンピュータ５００によって運転開始時に石油ファンヒータ２の温風暖房能力が制御される流れをフローチャートにて示す。図６を参照して、石油ファンヒータ２は、運転スイッチがＯＮされると、まず、ステップＳ６０１において、室温サーミスタ１１９により室温（ＲＴ）が検知される。
【００６１】
次に、ステップＳ６０３において、室温設定部１２１による設定室温（ＳＲＴ）と検知された室温（ＲＴ）との差が３０℃以上であるか否かが判断される（ＳＲＴ−ＲＴ≧３０℃？）。３０℃以上であれば、ステップＳ６１１において、燃料の燃焼量を通常時の１３０％、送風ファンを通常時の１１０％にそれぞれ設定する。逆に、３０℃未満であれば、ステップＳ６０５の処理に進む。
【００６２】
続いて、ステップＳ６０５では、室温設定部１２１による設定室温（ＳＲＴ）と検知された室温（ＲＴ）との差が２０℃以上であるか否かが判断される（ＳＲＴ−ＲＴ≧２０℃？）。２０℃以上であれば、ステップＳ６１３において、燃料の燃焼量を通常時の１２０％、送風ファンを通常時通りにそれぞれ設定する。逆に、２０℃未満であれば、ステップＳ６０７の処理に進む。
【００６３】
そして、ステップＳ６０７においては、設定室温（ＳＲＴ）と検知された室温（ＲＴ）との差が１０℃以上であるか否かが判断される（ＳＲＴ−ＲＴ≧１０℃？）。１０℃以上であれば、ステップＳ６１５において、燃料の燃焼量を通常時の１１０％、送風ファンを通常時通りにそれぞれ設定し、２０℃未満であれば、ステップＳ６０９において、通常通りの暖房運転能力が設定される。
【００６４】
そして、運転開始時にステップＳ６１１、ステップＳ６１３またはステップＳ６１５において適切に設定された温風暖房能力でもって運転が開始された後は、室温サーミスタ１１９により検知された室温（ＲＴ）が、室温設定部１２１の設定温度（ＳＲＴ）に達すると、運転初期のホットダッシュモードが解除され、通常時の運転モードに変更される。
【００６５】
このように、室内温度のみでなく、ユーザが設定した設定温度をも考慮して運転開始時の暖房運転能力を設定するため、ユーザの意図を反映したより細やかで適切な制御が可能となる。
【００６６】
［第３の実施の形態］
次に、本発明の第３の実施の形態における石油ファンヒータ３について説明する。石油ファンヒータ３の基本構成も、図１および図２に示す第１の実施の形態である石油ファンヒータ１の構成と同様である。
【００６７】
図７は、石油ファンヒータ３の機能ブロック図を示している。本図に示すように、石油ファンヒータ３のマイクロコンピュータ７００は、室温検知部としての室温サーミスタ１１９と、室温設定部１２１と、気化器温度設定部としての気化器サーミスタ１１７と、燃料圧送式電磁ポンプ１０３の駆動回路３０５と、送風ファン１１３の駆動回路３０７とに接続されている。
【００６８】
ここで、マイクロコンピュータ７００は、室温サーミスタ１１９による室温検知結果と室温設定部１２１による室温設定値とを比較判断する室温判定部５０１と、気化器サーミスタ１１７による気化器温度検知結果と予め設定している所定値とを比較判断する気化器温度判定部３０１と、室温判定部５０１と気化器温度判定部３０１との結果を受けて駆動回路３０５、３０７に制御信号を送信する制御部７０３とを含んでいる。
【００６９】
つまり、マイクロコンピュータ７００は、室温サーミスタ１１９と室温設定部１２１と気化器サーミスタ１１７とからの情報に基づいて、温風暖房能力を決定する燃料圧送式電磁ポンプ１０３および送風ファン１１３を制御する。
【００７０】
次に、図８において、このマイクロコンピュータ７００により運転開始時に石油ファンヒータ３の温風暖房能力が制御される流れをフローチャートにて示す。図８を参照して、石油ファンヒータ３は、運転スイッチがＯＮされると、まず、ステップＳ８０１において、室温サーミスタ１１９により室温（ＲＴ）が、そして、気化器サーミスタ１１７により気化器温度（ＫＴ）がそれぞれ検知される。
【００７１】
次に、ステップＳ８０３において、室温設定部１２１による設定室温（ＳＲＴ）と検知された室温（ＲＴ）との差が３０℃以上であるか否かが判断される（ＳＲＴ−ＲＴ≧３０℃？）。３０℃以上であれば、ステップＳ８１１において、気化器温度（ＫＴ）が予め設定された所定値（ＳＫＴ）以上か否かが判断される（ＫＴ≧ＳＫＴ？）。
【００７２】
ステップＳ８１１において、気化器温度が所定値未満であると判断されると、ステップＳ８１３において、燃料の燃焼量は通常時の１３０％、送風ファンは通常時の１１０％にそれぞれ設定される。逆に、所定値以上であると判断されると、ステップＳ８１５において、ステップＳ８１３の場合より少し温風暖房能力を低下させて、燃料の燃焼量は通常の１２０％、送風ファンは通常通りにそれぞれ設定される。
【００７３】
一方、ステップＳ８０３において、室温設定部１２１による設定室温と検知された室温との差が３０℃未満であると判断されれば、ステップＳ８０５の処理に進み、設定室温（ＳＲＴ）と検知された室温（ＲＴ）との差が２０℃以上であるか否かが判断される（ＳＲＴ−ＲＴ≧２０℃？）。２０℃以上であれば、ステップＳ８１７において、気化器温度（ＫＴ）が予め設定された所定値（ＳＫＴ）以上か否かが判断される（ＫＴ≧ＳＫＴ？）。
【００７４】
ステップＳ８１７において、気化器温度が所定値未満であると判断されると、ステップＳ８１５において、燃料の燃焼量は通常時の１２０％、送風ファンは通常通りにそれぞれ設定される。逆に、所定値以上であると判断されると、ステップＳ８１９において、ステップＳ８１５の場合より少し温風暖房能力を低下させて、燃料の燃焼量は通常の１１０％、送風ファンは通常通りにそれぞれ設定される。
【００７５】
一方、ステップＳ８０５において、室温設定部１２１による設定室温と検知された室温との差が２０℃未満であると判断されれば、ステップＳ８０７の処理に進み、設定室温と検知された室温との差が１０℃以上であるか否かが判断される（ＳＲＴ−ＲＴ≧１０℃？）。１０℃以上であれば、ステップＳ８２１において、気化器温度が予め設定された所定値以上か否かが判断される（ＫＴ≧ＳＫＴ？）。
【００７６】
ステップＳ８２１において、気化器温度が所定値未満であると判断されると、ステップＳ８１９において、燃料の燃焼量は通常時の１１０％、送風ファンは通常通りにそれぞれ設定される。逆に、所定値以上であると判断されると、ステップＳ８０９において、ステップＳ８１９の場合より少し温風暖房能力を低下させて、燃料の燃焼量、送風ファンとも通常通りに設定される。
【００７７】
そして、このように運転開始時に適切に設定された温風暖房能力でもって運転が開始された後は、室温サーミスタ１１９により検知された室温が、室温設定部１２１の設定温度に達すると、運転初期のホットダッシュモードが解除され、通常時の運転モードに変更される。
【００７８】
このように、気化器温度、および、室内温度と設定温度との差を考慮することにより、石油ファンヒータ３の使用状況を基にして室内の温度状況をある程度予測できるとともに、ユーザの室温に対する希望を細やかに反映することができる。したがって、運転開始時において、より適切な立ち上がりを得るための温風暖房能力の制御が可能となり、無駄なエネルギー消費を行なうことなく、速やかに快適な暖房効果を実現することが可能となる。
【００７９】
［第４の実施の形態］
次に、本発明の第４の実施の形態における石油ファンヒータ４について説明する。石油ファンヒータ４の基本構成も、図１および図２に示す第１の実施の形態である石油ファンヒータ１の構成と同様である。
【００８０】
図９は、石油ファンヒータ４の機能ブロック図を示している。本図に示すように、石油ファンヒータ４のマイクロコンピュータ９００は、室温検知部としての室温サーミスタ１１９と、室温設定部１２１と、気化器温度検知部としての気化器サーミスタ１１７と、燃料圧送式電磁ポンプ１０３の駆動回路３０５および送風ファン１１３の駆動回路３０７である負荷回路９１１とに接続されている。
【００８１】
ここで、マイクロコンピュータ９００は、気化器サーミスタ１１７による気化器温度検知結果と予め設定している所定値とを比較判断する気化器温度判定部３０１と、気化器温度判定部３０１の判定結果を受けて室温設定部１２１の設定温度を変更する室温設定変更部９０５と、タイマ９０９と、室温サーミスタ１１９による室温検知結果と室温設定部１２１による設定室温とを比較判断する室温判定部５０１と、室温判定部５０１の判定結果またはタイマ９０９からの出力を受けて室温設定変更部９０５による変更を解除し、室温設定部１２１の設定温度をユーザが設定した元の温度に戻す設定変更解除部９０７と、気化器温度判定部３０１および室温判定部５０１の結果を受けて負荷回路９１１に制御信号を送信する制御部９０３とを含んでいる。
【００８２】
つまり、マイクロコンピュータ９００は、室温サーミスタ１１９と室温設定部１２１と気化器サーミスタ１１７とからの情報に基づいて、負荷回路９１１を制御する。
【００８３】
具体的には、まず、気化器サーミスタ１１７の情報に基づいて室温設定部１２１の設定温度を変更し、変更された設定室温を基にした室温判定部５０１による判定結果と気化器温度判定部３０１による判定結果とに基づいて、運転開始時の温風暖房能力を制御する。次に、室温判定部５０１による判定結果、あるいは、タイマ９０９からの情報に基づいて設定変更を解除し、設定変更を解除した後は、室温サーミスタ１１９と室温設定部とからの情報に基づいて負荷回路９１１を制御する通常の室温制御を行なう。
【００８４】
次に、図１０において、マイクロコンピュータ９００により石油ファンヒータ４の温風暖房能力が制御される流れをフローチャートにて示す。図１０を参照して、石油ファンヒータ４は、運転スイッチがＯＮされると、タイマ９０９の運転も開始される。そして、まず、ステップＳ１００１において、気化器サーミスタ１１７により気化器温度（ＫＴ）が検知される。次に、ステップＳ１００３において、気化器温度（ＫＴ）が予め設定された所定値（ＳＫＴ）以上か否かが判断される（ＫＴ≧ＳＫＴ？）。
【００８５】
ここで気化器温度が所定値未満であると判断されると、ステップＳ１００９において、室温設定部１２１において設定されている温度（ＳＲＴ）が一定値、例えば２〜３℃だけ高めに変更設定される（ＳＲＴ＝ＳＲＴ＋２〜３℃）。そして、ステップＳ１０１１において、燃焼が開始される。
【００８６】
つまり、この場合は石油ファンヒータ４を以前に使用していないか、あるいは使用していたとしても、使用を終了してからある程度の時間が経過していると考えられるため、室内の壁、窓等の温度も低い状態にあると予想できる。したがって、室内温度設定を一定値だけ高く変更することにより、室内設定温度に依存する運転開始時の暖房能力を通常運転よりもかなり高めに制御することになる。
【００８７】
続いて、ステップＳ１０１３において、室温サーミスタ１１９により室温（ＲＴ）検知が行なわれ、ステップＳ１０１５において、設定温度、すなわち、変更後の温度と検知された室温との比較が行なわれる（ＲＴ≧ＳＲＴ？）。
【００８８】
検知された室温が変更後の設定温度以上になると、ステップＳ１０１９において、設定変更解除処理が行なわれる。すなわち、設定変更解除部９０７により、設定変更された室温設定部の温度変更が解除され、ユーザが設定した元の設定温度に戻される（ＳＲＴ＝ＳＲＴ−２〜３℃）。そして、ステップＳ１００７の処置に進み、設定変更解除後の元の設定温度（ＳＲＴ）と検知される室温（ＲＴ）との差に基づいて暖房運転を行なうという、通常の室温制御運転が行なわれる。
【００８９】
一方、ステップＳ１０１５において、検知された室温が変更後の設定温度に達しない場合は、ステップＳ１０１７の処理に進み、燃焼時間が所定時間、例えば３０分を経過したか否かが判断される。そして、経過していなければ、ステップＳ１０１３の処理に戻り、経過していれば、ステップＳ１０１９の設定変更解除処理に進む。
【００９０】
つまり、検知された室温が、変更後の設定温度以上になれば、ステップＳ１０１９の設定変更解除処理は開始されるわけであるが、設定温度以上にならなくても、一定時間、例えば３０分が経過すると（ステップＳ１０１７の判断がＹｅｓの場合）、自動的に開始されることになる。これは、熱容量の大きな部屋などでは室温が上昇する時間が遅いため、変更後の設定温度には達しないが、ある程度近い値で室温が安定する場合があることを考慮したためである。
【００９１】
次に、ステップＳ１００３において、気化器温度が予め設定された所定値以上であると判断された場合は、ステップＳ１００５において、設定温度をそのままの状態にして初期燃焼が開始される。
【００９２】
この場合は、以前に石油ファンヒータ４を使用し終わってから間がなく、室内の壁、窓等の温度もある程度上昇したままであると考えられる。したがって、暖房運転開始時においても不必要に暖房能力を高めることによるエネルギー消費の無駄を防止する必要があるからである。
【００９３】
そして、運転開始時に適切に設定された温風暖房能力でもって運転が開始された後、室温サーミスタ１１９により検知された室温が、室温設定部１２１の設定温度に達すると、運転初期のホットダッシュモードが解除され、ステップＳ１００７において、通常の室温制御運転が行なわれる。
【００９４】
このように石油ファンヒータ４では、気化器１０７の温度を検知することにより、室内の温度状況をある程度予測した上で室内設定温度を補正変更する。したがって、運転開始時において適切な温風暖房能力の設定が可能になると共に、検知された室温は上昇しているが、室内にいる人はまだ寒いと感じる状態でホットダッシュ制御が終了するというような不都合も回避することができる。
【００９５】
＜変形例１＞
次に、第４の実施の形態である石油ファンヒータ４の一つの変形例を示す。図１１は、変形例１における、石油ファンヒータの温風暖房能力が制御される流れを示すフローチャートである。本図に示すように、変形例１における石油ファンヒータの処理の流れは、図１０における処理の流れと、ステップＳ１００３の判断結果後の処理において逆となっている。
【００９６】
すなわち、本図においては、気化器サーミスタ１１７により検知された気化器温度が、予め設定されている所定値以上のときに、ステップＳ１１０９において、室温設定変更処理が行なわれる。ただし、図１０のステップＳ１００９の処理とは異なり、以前に石油ファンヒータを使用し終わってから間がないと考えられる場合の処理であるため、室内温度は、設定温度よりも、一定値、例えば２℃低く設定変更される（ＳＲＴ＝ＳＲＴ−２℃）。
【００９７】
そして、ステップＳ１０１１においては、検知される室温と低めに設定変更された温度とに基づいて、ホットダッシュ燃焼が行なわれる。また、ステップＳ１０１５では、検知される室温が、変更後の設定温度、すなわち、低めの設定温度以上になると、ステップＳ１０１９において、設定変更が解除される。したがって、暖房運転開始時においても不必要に暖房能力を高めることによるエネルギー消費の無駄が防止されることになる。
【００９８】
一方、ステップＳ１００３において、気化器サーミスタ１１７により検知された気化器温度が、予め設定されている所定値未満のときは、ステップＳ１００５において気化器サーミスタ１１７、室温サーミスタ１１９および室温設定部からの値に基づくのホットダッシュ燃焼が行なわれることになる。
【００９９】
このように、気化器１０７の温度を検知することにより、室内の温度状況をある程度予測した上で室内設定温度を補正変更できるため、不必要なホットダッシュ燃焼によるエネルギー消費の無駄を防止することができる。
＜変形例２＞
なお、図１０および図１１においては、室内温度変更処理（ステップＳ１００９およびステップＳ１１０９）を行うのは、室内温度（ＲＴ）設定温度（ＳＲＴ）以上か未満かのいずれか一方の場合であったが、図１２に示すように、複数種類の室内温度変更処理を行なうようにしてもよい。
【０１００】
すなわち、図１２に示すように、ステップＳ１００３において、所定値を複数、例えば、ＳＫＴ１とＳＫＴ２の２つを設けて（ＳＫＴ１＜ＳＫＴ２）、検知された気化器温度（ＫＴ）が、所定値ＳＫＴ１未満のときは（ＫＴ＜ＳＫＴ１）、ステップＳ１００９において、室内温度設定値を高めに変更し、所定値ＳＫＴ２以上のときは（ＫＴ≧ＳＫＴ２）、ステップＳ１１０９において、室内温度設定値を低めに変更し、所定値ＳＫＴ１以上ＳＫＴ２未満のときは（ＳＫＴ１≦ＫＴ＜ＳＫＴ２）、変更処理を行なわずにステップＳ１００５において、すぐにホトダッシュ燃焼を行なうようにしてもよい。このように細分化することにより、より適切な暖房効果を期待することができる。
【０１０１】
なお、図４、図６、および、図８等においては、検知された気化器温度の比較対象となる所定値を１つにしているが、複数設けるようにしてもよい。さらに、図６、図８においては、検知された室温と設定温度との差を３段階に分けて考慮しているが、これに限られず、装置に応じてより適切な段階に分けることが可能である。
【０１０２】
また、図４、図６、および、図８では具体的に温風暖房能力を示しているが、この数値の温風暖房能力に限られず、それ以上またはそれ以下の能力に設定してもよい。
【０１０３】
また、図５、図７、および、図９においては、室温設定部１２１をマイクロコンピュータの中に配置し、室温設定スイッチを外に設けるようにしてもよい。
【０１０４】
今回開示された実施の形態はすべての点で例示であって、制限的なものではないと考えるべきである。本発明の範囲は、上記した説明ではなく特許請求の範囲によって示され、特許請求の範囲と均等の意味及び範囲内ですべての変更が含まれることが意図される。
【図面の簡単な説明】
【図１】本発明の実施の形態の一つである石油ファンヒータ１の基本構成を示すための正面の断面図である。
【図２】本発明の実施の形態の一つである石油ファンヒータ１の基本構成を示すための側面の断面図である。
【図３】石油ファンヒータ１の機能ブロック図である。
【図４】マイクロコンピュータ３００により、運転開始時に石油ファンヒータ１の温風暖房能力が制御される流れを示したフローチャートである。
【図５】本発明の第２の実施の形態における石油ファンヒータ２の機能ブロック図である。
【図６】マイクロコンピュータ５００により、運転開始時に石油ファンヒータ２の温風暖房能力が制御される流れを示したフローチャートである。
【図７】本発明の第３の実施の形態における石油ファンヒータ３の機能ブロック図である。
【図８】マイクロコンピュータ７００により、運転開始時に石油ファンヒータ３の温風暖房能力が制御される流れを示したフローチャートである。
【図９】本発明の第４の実施の形態における石油ファンヒータ４の機能ブロック図である。
【図１０】マイクロコンピュータ９００により、石油ファンヒータ４の温風暖房能力が制御される流れを示すフローチャートである。
【図１１】変形例１における、石油ファンヒータの温風暖房能力が制御される流れを示すフローチャートである。
【図１２】変形例２における石油ファンヒータの、複数種類の室内温度変更処理を行なう場合のフローチャートである。
【図１３】従来技術における石油ファンヒータの構成を示すための正面の断面図である。
【図１４】従来技術における石油ファンヒータの構成を示すための側面の断面図である。
【符号の説明】
１、２、３、４  石油ファンヒータ
１０１  燃料タンク
１０３  燃料圧送用電磁ポンプ
１０５  送油パイプ
１０７  気化器
１０９  燃焼室
１１１  バーナ
１１３  送風ファン
１１５  送風用モータ
１１７  気化器サーミスタ
１１９  室温サーミスタ
１２１  室温設定部
【図１】
0003558925.tif 000002
【図２】
0003558925.tif 000003
【図３】
0003558925.tif 000004
【図４】
0003558925.tif 000005
【図５】
0003558925.tif 000006
【図６】
0003558925.tif 000007
【図７】
0003558925.tif 000008
【図８】
0003558925.tif 000009
【図９】
0003558925.tif 000010
【図１０】
0003558925.tif 000011
【図１１】
0003558925.tif 000012
【図１２】
0003558925.tif 000013
【図１３】
0003558925.tif 000014
【図１４】
0003558925.tif 000015